(57)【要約】【課題】  携帯記録媒体から取得した、受診者を識別する識別情報を、変換されたＤＩＣＯＭの規格に準拠した形式の画像データに付加すること。【解決手段】  受診者を識別する識別情報が記録された携帯記録媒体から当該識別情報を取得する識別情報取得手段と、ＤＩＣＯＭの規格に準拠していない形式の画像データを画像形成装置から取得する画像データ取得手段と、画像データ取得手段により取得された画像データを、ＤＩＣＯＭの規格に準拠した形式の画像データに変換する変換手段と、変換手段により変換された、ＤＩＣＯＭの規格に準拠した形式の画像データに、識別情報取得手段により取得された識別情報を付加する付加手段と、付加手段により当該識別情報が付加された画像データを画像管理サーバに登録すべく送信する送信手段と、を備えることを特徴とする。【選択図】図３
2015127855.tif 000002
【特許請求の範囲】
【請求項１】
ＤＩＣＯＭの規格に準拠していない形式の画像データを生成する画像形成装置と、ＤＩＣＯＭの規格に準拠した画像データを管理する画像管理サーバと通信可能な情報処理装置であって、
受診者を識別する識別情報が記録された携帯記録媒体から当該識別情報を取得する識別情報取得手段と、
ＤＩＣＯＭの規格に準拠していない形式の画像データを前記画像形成装置から取得する画像データ取得手段と、
前記画像データ取得手段により取得された画像データを、ＤＩＣＯＭの規格に準拠した形式の画像データに変換する変換手段と、
前記変換手段により変換された、ＤＩＣＯＭの規格に準拠した形式の画像データに、前記識別情報取得手段により取得された識別情報を付加する付加手段と、
前記付加手段により当該識別情報が付加された画像データを前記画像管理サーバに登録すべく送信する送信手段と、
を備えることを特徴とする情報処理装置。
【請求項２】
前記送信手段は、前記付加手段で、前記変換手段により変換された画像データに、前記識別情報取得手段により識別情報が付加されたことを条件に、当該識別情報が付加された画像データを前記画像管理サーバに登録すべく送信することを特徴とする請求項１に記載の情報処理装置。
【請求項３】
前記識別情報取得手段により取得された識別情報に一致する識別情報が付加された画像データの取得要求を前記画像管理サーバに送信する要求送信手段と、
前記要求送信手段による前記画像管理サーバへの前記画像データの取得要求に応答して、前記識別情報取得手段により取得された識別情報に一致する識別情報が付加された画像データを前記画像管理サーバから取得する画像取得手段と、
前記画像取得手段により取得される画像データを表示する表示手段と、
を更に備えることを特徴とする請求項１又は２に記載の情報処理装置。
【請求項４】
前記画像取得手段により取得された画像データと、前記変換手段により、ＤＩＣＯＭの規格に準拠した形式に変換された画像データとを同一画面に表示する請求項３に記載の情報処理装置。
【請求項５】
ＤＩＣＯＭの規格に準拠していない形式の画像データを生成する画像形成装置と、ＤＩＣＯＭの規格に準拠した画像データを管理する画像管理サーバと通信可能な情報処理装置における制御方法であって、
識別情報取得手段が、受診者を識別する識別情報が記録された携帯記録媒体から当該識別情報を取得する識別情報取得工程と、
画像データ取得手段が、ＤＩＣＯＭの規格に準拠していない形式の画像データを前記画像形成装置から取得する画像データ取得工程と、
変換手段が、前記画像データ取得工程により取得された画像データを、ＤＩＣＯＭの規格に準拠した形式の画像データに変換する変換工程と、
付加手段が、前記変換工程により変換された、ＤＩＣＯＭの規格に準拠した形式の画像データに、前記識別情報取得工程により取得された識別情報を付加する付加工程と、
送信手段が、前記付加工程により当該識別情報が付加された画像データを前記画像管理サーバに登録すべく送信する送信工程と、
を含むことを特徴とする制御方法。
【請求項６】
ＤＩＣＯＭの規格に準拠していない形式の画像データを生成する画像形成装置と、ＤＩＣＯＭの規格に準拠した画像データを管理する画像管理サーバと通信可能な情報処理装置が読み取り実行可能なプログラムであって、
前記情報処理装置を、
受診者を識別する識別情報が記録された携帯記録媒体から当該識別情報を取得する識別情報取得手段と、
ＤＩＣＯＭの規格に準拠していない形式の画像データを前記画像形成装置から取得する画像データ取得手段と、
前記画像データ取得手段により取得された画像データを、ＤＩＣＯＭの規格に準拠した形式の画像データに変換する変換手段と、
前記変換手段により変換された、ＤＩＣＯＭの規格に準拠した形式の画像データに、前記識別情報取得手段により取得された識別情報を付加する付加手段と、
前記付加手段により当該識別情報が付加された画像データを前記画像管理サーバに登録すべく送信する送信手段として機能させることを特徴とするプログラム。
【発明の詳細な説明】
【技術分野】
【０００１】
本発明は、情報処理装置、及びその制御方法、プログラムに関し、特に、携帯記録媒体から取得した、受診者を識別する識別情報を、変換されたＤＩＣＯＭの規格に準拠した形式の画像データに付加するための技術に関する。
【背景技術】
【０００２】
従来、病院で受診者を検査するために、撮影装置を用いて受診者の撮影を行い、生成された画像を医師が確認して、健診（診察）を行っている。
【０００３】
しかしながら、撮影装置によっては、撮影装置で撮影された画像が、ＤＩＣＯＭの規格にあった形式ではない例えばＪＰＥＧの形式である場合がある。
【０００４】
そのため、例えば、ＪＰＥＧの形式の画像（以下、ＪＰＥＧ画像と言う）は閲覧出来ず、ＤＩＣＯＭの規格に準拠したＤＩＣＯＭ形式の画像（以下、ＤＩＣＯＭ画像と言う）であれば閲覧が可能な医療システムが導入されている医療機関では、当該撮影装置で撮影された画像を閲覧することが出来ない。
【０００５】
そこで、例えば、特許文献１には、ＪＰＥＧ画像をＤＩＣＯＭ画像に変換することが記載されている。
【先行技術文献】
【特許文献】
【０００６】
【特許文献１】特開２００９−１９５３０４号公報
【発明の概要】
【発明が解決しようとする課題】
【０００７】
しかしながら、従来、例えば、健診で撮影された画像データの形式がＪＰＥＧの場合、その画像データがどの受診者の画像であるかを示す情報を、当該画像データのヘッダに含めることが出来ない。これは、ＪＰＥＧ画像のヘッダに、受診者を識別するための情報を入力できるエリアが無いためである。
【０００８】
そのため、ＪＰＥＧ画像をＤＩＣＯＭ画像に変換しても、当該画像がどの受診者の画像であるかを示す情報を、ＪＰＥＧ画像からＤＩＣＯＭ画像に自動的に引き継ぐことは出来ず、変換されたＤＩＣＯＭ画像に、どの受診者の画像であるかを示す情報を手入力しなければならなかった。
【０００９】
また、例えば、紙の健康診断票を用いて健康診断を行う場合、ＪＰＥＧ画像をＤＩＣＯＭ画像に変換して、その画像がどの受診者の画像であるかを示す情報を、手入力を行わなければならず、健診を行う担当者は、煩雑な作業を強いられることとなると共に、入力ミスが発生するおそれもあった。
【００１０】
そこで、本発明の目的は、携帯記録媒体から取得した、受診者を識別する識別情報を、変換されたＤＩＣＯＭの規格に準拠した形式の画像データに付加する仕組みを提供することである。
【課題を解決するための手段】
【００１１】
本発明は、ＤＩＣＯＭの規格に準拠していない形式の画像データを生成する画像形成装置と、ＤＩＣＯＭの規格に準拠した画像データを管理する画像管理サーバと通信可能な情報処理装置であって、受診者を識別する識別情報が記録された携帯記録媒体から当該識別情報を取得する識別情報取得手段と、ＤＩＣＯＭの規格に準拠していない形式の画像データを前記画像形成装置から取得する画像データ取得手段と、前記画像データ取得手段により取得された画像データを、ＤＩＣＯＭの規格に準拠した形式の画像データに変換する変換手段と、前記変換手段により変換された、ＤＩＣＯＭの規格に準拠した形式の画像データに、前記識別情報取得手段により取得された識別情報を付加する付加手段と、前記付加手段により当該識別情報が付加された画像データを前記画像管理サーバに登録すべく送信する送信手段と、を備えることを特徴とする。
【００１２】
また、本発明は、ＤＩＣＯＭの規格に準拠していない形式の画像データを生成する画像形成装置と、ＤＩＣＯＭの規格に準拠した画像データを管理する画像管理サーバと通信可能な情報処理装置における制御方法であって、識別情報取得手段が、受診者を識別する識別情報が記録された携帯記録媒体から当該識別情報を取得する識別情報取得工程と、画像データ取得手段が、ＤＩＣＯＭの規格に準拠していない形式の画像データを前記画像形成装置から取得する画像データ取得工程と、変換手段が、前記画像データ取得工程により取得された画像データを、ＤＩＣＯＭの規格に準拠した形式の画像データに変換する変換工程と、付加手段が、前記変換工程により変換された、ＤＩＣＯＭの規格に準拠した形式の画像データに、前記識別情報取得工程により取得された識別情報を付加する付加工程と、送信手段が、前記付加工程により当該識別情報が付加された画像データを前記画像管理サーバに登録すべく送信する送信工程と、を含むことを特徴とする。
【００１３】
また、本発明は、ＤＩＣＯＭの規格に準拠していない形式の画像データを生成する画像形成装置と、ＤＩＣＯＭの規格に準拠した画像データを管理する画像管理サーバと通信可能な情報処理装置が読み取り実行可能なプログラムであって、前記情報処理装置を、受診者を識別する識別情報が記録された携帯記録媒体から当該識別情報を取得する識別情報取得手段と、ＤＩＣＯＭの規格に準拠していない形式の画像データを前記画像形成装置から取得する画像データ取得手段と、前記画像データ取得手段により取得された画像データを、ＤＩＣＯＭの規格に準拠した形式の画像データに変換する変換手段と、前記変換手段により変換された、ＤＩＣＯＭの規格に準拠した形式の画像データに、前記識別情報取得手段により取得された識別情報を付加する付加手段と、前記付加手段により当該識別情報が付加された画像データを前記画像管理サーバに登録すべく送信する送信手段として機能させることを特徴とする。
【発明の効果】
【００１４】
本発明によれば、携帯記録媒体から取得した、受診者を識別する識別情報を、変換されたＤＩＣＯＭの規格に準拠した形式の画像データに付加することができる。
【図面の簡単な説明】
【００１５】
【図１】本発明の実施形態に係る情報処理システムのシステム構成図の一例を示す図である。
【図２】図１に示したクライアント端末１０１、クライアント端末１０３、画像管理サーバ１０４に適用可能な情報処理装置のハードウェア構成を示すブロック図である。
【図３】クライアント端末１０１、クライアント端末１０３、画像管理サーバ１０４、撮影装置１００における制御処理を行うフローチャートの一例を示す図である。
【図４】画像管理サーバ１０４のメモリに記憶された医用画像データの一例を示す図である。
【図５】表示部に表示される医用画像表示画面５００の一例を示す図である。
【発明を実施するための形態】
【００１６】
以下、図面を参照して、本発明の実施形態に係る情報処理システムについて説明する。
【００１７】
図１は、本発明の実施形態に係る情報処理システムのシステム構成図の一例を示す図である。
【００１８】
図１に示すように、受診者を撮影する撮影装置１００と、撮影装置１００の操作を行う者が撮影用として使用されるクライアント端末１０１と、医者が診察を行う際に用いられるクライアント端末１０３と、撮影装置１００により撮影された画像のデータを管理する画像管理サーバ１０４とがネットワーク１０２を介して相互に通信可能に接続されている。
【００１９】
撮影装置１００は、例えば、眼底カメラ等などの人体の医用画像を撮影する検査装置である。
【００２０】
撮影装置１００は、ＤＩＣＯＭの規格に準拠していない形式の画像データを生成する画像形成装置の適用例である。
【００２１】
また、クライアント端末１０１は、例えば、据え置き型のパソコンや、ノート型の可搬可能なパソコンや、ハンディターミナル等のモバイル端末などの情報処理装置である。
【００２２】
また、クライアント端末１０３は、医者が使用する端末であって、据え置き型のパソコンや、ノート型の可搬可能なパソコンなどの情報処理装置である。
【００２３】
クライアント端末１０１とクライアント端末１０３を一体の装置（同一筐体）として使用することも可能である。
【００２４】
画像管理サーバ１０４は、ＤＩＣＯＭの規格に準拠した画像データを管理する画像管理サーバである。
【００２５】
以下、図２を用いて、図１に示したクライアント端末１０１、クライアント端末１０３、画像管理サーバ１０４に適用可能な情報処理装置のハードウェア構成について説明する。
【００２６】
図２は、図１に示したクライアント端末１０１、クライアント端末１０３、画像管理サーバ１０４に適用可能な情報処理装置のハードウェア構成を示すブロック図である。
【００２７】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２８】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２９】
また、２０５は入力コントローラで、キーボード（ＫＢ）２０９や不図示のマウス等のポインティングデバイス等の入力装置からの入力を制御する。２０６はビデオコントローラで、液晶ディスプレイ等のディスプレイ２１０への表示を制御する。なお、２１０のディスプレイは、タッチパネルになっており、ディスプレイ上の画面を押下されることにより操作することが可能な入力装置としても機能する。
【００３０】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３１】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００３２】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３３】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３４】
次に、図３を用いて、本実施形態のクライアント端末１０１、クライアント端末１０３、画像管理サーバ１０４、撮影装置１００における制御処理を行うフローチャートについて説明する。
【００３５】
図３は、クライアント端末１０１、クライアント端末１０３、画像管理サーバ１０４、撮影装置１００における制御処理を行うフローチャートの一例を示す図である。
【００３６】
図３に示すステップＳ３０１、ステップＳ３０２、ステップＳ３０５、ステップＳ３０６、ステップＳ３１０〜ステップＳ３１４に示す各ステップの処理は、クライアント端末１０１のＣＰＵ２０１により実行され実現される。
【００３７】
図３に示すステップＳ３０３、ステップＳ３０４、ステップＳ３１５、ステップＳ３１６、ステップＳ３１９、ステップＳ３２０に示す各ステップの処理は、画像管理サーバ１０４のＣＰＵ２０１により実行され実現される。
【００３８】
図３に示すステップＳ３０７、ステップＳ３０８、ステップＳ３０９に示す各ステップの処理は、撮影装置１００のＣＰＵ２０１により実行され実現される。
【００３９】
図３に示すステップＳ３１７、ステップＳ３１８、ステップＳ３２１、ステップＳ３２２に示す各ステップの処理は、クライアント端末１０３のＣＰＵ２０１により実行され実現される。
【００４０】
受診者は、ＩＣカード（携帯可能な携帯記録媒体）を持っており、このＩＣカードには、受診者を識別する識別情報として、受診者ＩＤが記憶されている。
【００４１】
また、クライアント端末１０１には、ＩＣカードのリーダが接続されており、当該ＩＣカードリーダに、受診者が持っているＩＣカードがかざされると、ＩＣカードリーダが、当該ＩＣカードから受診者ＩＤを取得し、クライアント端末１０１に送信する。そして、クライアント端末１０１は、当該ＩＣカードから受診者ＩＤを取得する（ステップＳ３０１）。
【００４２】
ステップＳ３０１は、受診者を識別する識別情報が記録された携帯記録媒体から当該識別情報を取得する識別情報取得手段の適用例である。
【００４３】
次に、クライアント端末１０１は、画像管理サーバ１０４に対して、ステップＳ３０１で取得した受診者ＩＤと共に、当該受診者の過去の医用画像の取得要求を送信する（ステップＳ３０２）。
【００４４】
そして、画像管理サーバ１０４は、クライアント端末１０１から、受診者ＩＤと共に、当該受診者の過去の医用画像の取得要求を受信すると（ステップＳ３０３）、画像管理サーバ１０４のメモリに記憶されている医用画像のデータ（医用画像データ）の中から、当該受診者ＩＤを含む医用画像データを検索して特定し、当該特定された医用画像データをクライアント端末１０１に送信する（ステップＳ３０４）。
【００４５】
具体的には、画像管理サーバ１０４のメモリには、図４に示すように、医用画像データが記憶されている。
【００４６】
図４は、画像管理サーバ１０４のメモリに記憶された医用画像データの一例を示す図である。
【００４７】
図４に示すように、画像管理サーバ１０４のメモリには、ＤＩＣＯＭ形式の医用画像の画像実データ（医用画像データ）のヘッダに、当該医用画像が撮影された受診者の受診者ＩＤが付加されている。
【００４８】
例えば、医用画像Ａのデータ（医用画像データ）のヘッダには、受診者ＩＤとして００１が付加されている。そのため、医用画像Ａは、００１で示される受診者の画像であることを確認することが可能となる。
【００４９】
ステップＳ３０４では、ステップＳ３０３で受信した受診者ＩＤがヘッダに付加されている医用画像のデータを検索することで、受診者の過去に撮影された医用画像を特定する。
【００５０】
次に、画像管理サーバ１０４は、当該特定された医用画像のデータ（医用画像データ）を画像管理サーバ１０４のメモリから取得して、クライアント端末１０１に送信する（ステップＳ３０４）。
【００５１】
クライアント端末１０１は、画像管理サーバ１０４から過去の医用画像データを取得し（ステップＳ３０５）、ユーザの操作による撮影指示を受け付けると、撮影装置１００に対して、撮影要求を送信する（ステップＳ３０６）。
【００５２】
そして、撮影装置１００は、クライアント端末１０１から、撮影要求を受信すると（ステップＳ３０７）、受診者の撮影を行う（ステップＳ３０８）。
【００５３】
そして、撮影装置１００は、ステップＳ３０８で撮影された受診者の医用画像データを生成して、その医用画像データをクライアント端末１０１に送信する（ステップＳ３０９）。
ここで生成される医用画像データは、ＪＰＥＧ形式のデータである。
【００５４】
次に、クライアント端末１０１は、撮影装置１００から医用画像データを受信すると（ステップＳ３１０）、当該医用画像データをＤＩＣＯＭ形式の医用画像データに変換する（ステップＳ３１１）。
【００５５】
ステップＳ３１０は、ＤＩＣＯＭの規格に準拠していない形式の画像データを撮影装置１００（画像形成装置）から取得する画像データ取得手段の適用例である。
【００５６】
ステップＳ３１１では、ＪＰＥＧ形式の医用画像データを、ＪＰＥＧ形式からＤＩＣＯＭ形式の医用画像データに変換する。ここでは他の形式の医用画像データをＤＩＣＯＭ形式の医用画像データに変換することもできる。
【００５７】
ステップＳ３１１は、ステップＳ３１０で取得された画像データを、ＤＩＣＯＭの規格に準拠した形式の画像データに変換する変換手段の適用例である。
【００５８】
そして、クライアント端末１０１は、ステップＳ３１１で変換された医用画像データのヘッダに、ステップＳ３０１で取得した受診者ＩＤを付加する（ステップＳ３１２）。
【００５９】
ステップＳ３１２は、ステップＳ３１１で変換された、ＤＩＣＯＭの規格に準拠した形式の画像データに、ステップＳ３０１で取得された識別情報を付加する付加手段の適用例である。
【００６０】
次に、クライアント端末１０１は、ステップＳ３０５で取得した過去に撮影された医用画像データと、今回撮影されステップＳ３１２で受診者ＩＤが付加された医用画像データとを、クライアント端末１０１の表示部に表示する（ステップＳ３１３）。
【００６１】
ここで、医用画像データをクライアント端末１０１の表示部に表示する具体例について説明する。
【００６２】
図５は、ステップＳ３１３で、クライアント端末１０１の表示部に表示される医用画像表示画面５００の一例を示す図である。
【００６３】
医用画像表示画面５００の５０１は、過去の医用画像データを表示する表示領域であり、５０２は、今回、撮影された医用画像データを表示する表示領域である。
また、５０３は、登録ボタンである
【００６４】
クライアント端末１０１は、ステップＳ３０５で取得した過去に撮影された医用画像データを、５０１の表示領域に表示し、今回撮影されステップＳ３１２で受診者ＩＤが付加された医用画像データを、５０２の表示領域に表示する。
【００６５】
そして、クライアント端末１０１は、登録ボタンがユーザにより操作されると、５０２の表示領域に表示されている医用画像データを送信して、当該医用画像データの画像管理サーバ１０４への登録要求を行う（ステップＳ３１４）。
【００６６】
ステップＳ３１４は、ステップＳ３１２で当該識別情報が付加された画像データを画像管理サーバに登録すべく送信する送信手段の適用例である。
【００６７】
ステップＳ３１４は、ステップＳ３１２の処理を行なったことを条件に、識別情報が付加された画像データを画像管理サーバに登録すべく送信する処理を行う。
【００６８】
次に、画像管理サーバ１０４は、クライアント端末１０１から医用画像データ（ＤＩＣＯＭ形式）を受信する（ステップＳ３１５）と、当該医用画像データを、画像管理サーバ１０４のメモリに記憶（登録）する（ステップＳ３１６）。
【００６９】
以上のとおり、撮影装置１００で撮影された画像がＤＩＣＯＭ以外の形式の場合であっても、ＤＩＣＯＭ形式の画像に変換することができるため、たとえば、ＤＩＣＯＭ以外の形式では閲覧できないソフトウエアがインストールされているクライアント端末１０３であっても、撮影装置１００で撮影された画像を閲覧することが可能となる。
【００７０】
また、ＤＩＣＯＭ形式の画像に、受診者が有するＩＣカードに記憶された受診者ＩＤをＤＩＣＯＭ形式の画像に付加するため、受診者が有するＩＣカードを用いることで、どの画像がどの受診者の画像なのかを特定し易くすることができる。
次に、ステップＳ３１７以降の処理について説明する。
【００７１】
受診者は、ＩＣカード（携帯可能な記録媒体）を持って、診察を行う医者が操作するクライアント端末１０３の場所に行く。
【００７２】
クライアント端末１０３には、ＩＣカードのリーダが接続されており、当該ＩＣカードリーダに、受診者が持っているＩＣカードがかざされると、ＩＣカードリーダが、当該ＩＣカードから受診者ＩＤを取得し、クライアント端末１０３に送信する。そして、クライアント端末１０３は、当該ＩＣカードから受診者ＩＤを取得する（ステップＳ３１７）。
【００７３】
次に、クライアント端末１０３は、画像管理サーバ１０４に対して、ステップＳ３１７で取得した受診者ＩＤと共に、当該受診者の医用画像（医用画像データ）の取得要求を送信する（ステップＳ３１８）。
【００７４】
そして、画像管理サーバ１０４は、クライアント端末１０３から、受診者ＩＤと共に、当該受診者の医用画像の取得要求を受信すると（ステップＳ３１９）、画像管理サーバ１０４のメモリに記憶されている医用画像のデータ（医用画像データ）の中から、当該受診者ＩＤを含む医用画像データを検索して特定し、当該特定された医用画像データをクライアント端末１０３に送信する（ステップＳ３２０）。ここで送信される医用画像データは、今回撮影されたものだけではなく、過去に撮影されたものも含まれる。
【００７５】
次に、クライアント端末１０３は、画像管理サーバ１０４から、当該医用画像データを取得（受信）して（ステップＳ３２１）、クライアント端末１０３の表示部に表示する（ステップＳ３２２）。
【００７６】
ここで、クライアント端末１０３の表示部に医用画像データを表示する画面例として、図５を用いて説明する。
【００７７】
既に、図５の説明を行っている通り、ここでも、５０１に、過去の医用画像データが表示され、５０２に、今回の医用画像データが表示される。
【００７８】
このように、受診者が有するＩＣカードを、クライアント端末１０３が備えるＩＣカードリーダにかざすことで、当該ＩＣカードに記憶されている受診者ＩＤと一致する受診者ＩＤが含まれているＤＩＣＯＭ形式の医用画像を特定することができ、どの画像がどの受診者の画像なのかを特定し易くすることができる。
【００７９】
ステップＳ３０２は、ステップＳ３０１で取得された識別情報に一致する識別情報が付加された画像データの取得要求を画像管理サーバに送信する要求送信手段の適用例である。
【００８０】
また、ステップＳ３１８は、ステップＳ３１７で取得された識別情報に一致する識別情報が付加された画像データの取得要求を画像管理サーバに送信する要求送信手段の適用例である。
【００８１】
そして、ステップＳ３０５、及びステップＳ３２１は、この取得要求に応答して、当該識別情報に一致する識別情報が付加された画像データを画像管理サーバから取得する画像取得手段の適用例である。
【００８２】
ステップＳ３１３、及びステップＳ３２２は、当該取得した画像データを表示する表示手段の適用例である。
【００８３】
また、この表示手段は、図５に示すように、当該取得された画像データと、ＤＩＣＯＭの規格に準拠した形式に変換された画像データとを同一画面に表示する。
【００８４】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８５】
この場合、記憶媒体から読み出されたプログラムコード自体が前述した実施形態の機能を実現することになり、プログラムコード自体及びそのプログラムコードを記憶した記憶媒体は本発明を構成することになる。
【００８６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００８７】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００８８】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００８９】
１００  撮影装置
１０１  クライアント端末（撮影用）
１０２  ネットワーク
１０３  クライアント端末（検診用）
１０４  画像管理サーバ
【図１】
2015127855.tif 000003
【図２】
2015127855.tif 000004
【図３】
2015127855.tif 000005
【図４】
2015127855.tif 000006
【図５】
2015127855.tif 000007